(57)【要約】【課題】容易に毛先を逃がして巻くことのできるヘアセット用器具を提供する。【解決手段】ロッド１２と、ロッド１２に挿入可能な芯体１４とを有し、ロッド１２は、正面側に、該正面側から奥側に向けてロッド１２の中心軸線を越える位置まで切れ込む切欠部１８を有し、切欠部１８は、操作者が、所要量の毛束の中途部を、正面側から、ロッド１２を横切る状態で切欠部１８に進入させて、毛束をロッド１２の奥壁２０に当てがうことができる大きさおよび形状に形成され、芯体１４は、操作者が、ロッド１２に挿入した際、切欠部１８に進入させた毛束を、ロッド１２の奥壁２０との間で挟み込むことのできる太さに形成され、また、ロッド１２は、正面視、ロッド１２の奥壁２０の上縁が、奥壁上部から奥壁下部に向けて斜め下方に伸びる傾斜縁２２ａに形成されている。【選択図】図１
2013031643.tif 000002
【特許請求の範囲】
【請求項１】
ロッドと、該ロッドに挿入可能な芯体とを有し、
前記ロッドは、正面側に、該正面側から奥側に向けてロッドの中心軸線を越える位置まで切れ込む切欠部を有し、該切欠部は、操作者が、所要量の毛束の中途部を、正面側から、ロッドを横切る状態で切欠部に進入させて、毛束をロッドの奥壁に当てがうことができる大きさおよび形状に形成され、
前記芯体は、操作者が、前記ロッドに挿入した際、前記切欠部に進入させた毛束を、前記ロッドの前記奥壁との間で挟み込むことのできる太さに形成され、
前記ロッドは、正面視、ロッドの奥壁の上縁が、該奥壁上部から奥壁下部に向けて斜め下方に伸びる傾斜縁に形成され、操作者が、前記芯体を前記ロッドに挿入して芯体と前記奥壁との間で毛束を挟み込んだ状態で、ロッドを手前側に巻き込んだ際、毛束を、前記傾斜縁で押圧して毛先側を前記傾斜縁下部に入り込むようにガイドして、毛先を逃がすことができるようになっていることを特徴とするヘアセット用器具。
【請求項２】
切欠部内の前記奥壁の前記上縁が、正面視、中央の上部部分から左右方向の下部に向けて斜め下方に伸びる左右対称の傾斜縁に形成されていることを特徴とする請求項１記載のヘアセット用器具。
【請求項３】
隣接する切欠部の前記奥壁の前記傾斜縁が、互いに逆方向の斜め下方に伸びるように対称に設けられていることを特徴とする請求項１記載のヘアセット用器具。
【請求項４】
前記奥壁の下縁が、正面視、前記奥壁の上縁と平行に、前記奥壁下部から奥壁上部に向けて斜め上方に傾斜して伸びる傾斜縁に形成されていることを特徴とする請求項１記載のヘアセット用器具。
【請求項５】
前記奥壁の上縁が、正面視、該奥壁上部から奥壁下部に向けて斜め下方に傾斜する傾斜縁に形成され、前記奥壁の下縁が、正面視、該奥壁下部から奥壁上部に向けて斜め上方に、前記上縁とは逆方向に傾斜する傾斜縁に形成されていることを特徴とする請求項１記載のヘアセット用器具。
【請求項６】
前記切欠部および奥壁の組が、前記ロッドに複数組設けられていることを特徴とする請求項１〜５いずれか１項記載のヘアセット用器具。
【請求項７】
前記ロッドの両端部に輪ゴムを掛けることのできる凹部を有することを特徴とする請求項１〜６いずれか１項に記載のヘアセット用器具。
【請求項８】
前記芯体の両端部に輪ゴムを掛けることのできる凹部を有することを特徴とする請求項１〜６いずれか１項に記載のヘアセット用器具。
【発明の詳細な説明】
【技術分野】
【０００１】
本発明は、パーマ（パーマネントウェーブ）やヘアドライアーによるセットなどの際、短い髪であっても、容易に毛先を逃がして巻くことのできるヘアセット用器具に関する。
【背景技術】
【０００２】
発明者は先に、特許文献１に示すようなヘアセット用器具を開発した。このヘアセット用器具は、所要複数本の髪の毛が入るだけの間隔のピッチを有する螺旋状に形成されたコイル部材と、該コイル部材の螺旋部を横切るようにして線間を連結する連結部と、該コイル部材に挿通可能で、コイル部材に挿通された際、コイル部材との間で髪の毛を挟み込むことのできる芯体とを具備することを特徴とする。
【０００３】
このヘアセット用器具によれば、螺旋状に形成されたコイル部材を髪の毛に当てがうことによって、螺旋のピッチ間に髪の毛を進入させ、さらに芯体を挿入することで髪の毛を押えこみ、その状態で巻き込めるようにしたので、髪の中途部から巻き込むことができ、したがって、男性の髪のような短い髪の毛であっても、根元部を容易に巻き込むことができるという利点を有する。
【先行技術文献】
【特許文献】
【０００４】
【特許文献１】特開２０１０−５７９０７号公報
【発明の概要】
【発明が解決しようとする課題】
【０００５】
ところで、ロッドでパーマをかけるとき、“毛先を逃がす”という技法を使うことがよくある。“毛先を逃がす”というのは、ロッドに髪の毛を巻き付ける際、毛先だけ残して巻くことをいう。毛先だけを残して巻き付けるのは案外面倒で難しい作業となる。自然な髪の流れを表現するためには、毛先を丸めず、巻き込まずに毛先を逃がしてロッド巻きをするが、髪の長さが短くなればなるほど、毛先を逃がすのが難しく面倒な作業となる。男性のヘアスタイルのような短めの髪には特に毛先の自然さが求められるので、毛先を逃がしたいところであるが、どうしても髪が短いと毛先を逃がすことができず、巻き込んでしまうという課題がある。上記特許文献１に示されるヘアセット用器具の場合には、短い髪にも適応できるが、毛先を逃がすという点では十分ではない。
【０００６】
そこで、本発明は上記課題を解決すべくなされたものであり、その目的とするところは、短い髪であっても、容易に毛先を逃がして巻くことのできるヘアセット用器具を提供することにある。
【課題を解決するための手段】
【０００７】
本発明に係るヘアセット用器具は、ロッドと、該ロッドに挿入可能な芯体とを有し、前記ロッドは、正面側に、該正面側から奥側に向けてロッドの中心軸線を越える位置まで切れ込む切欠部を有し、該切欠部は、操作者が、所要量の毛束の中途部を、正面側から、ロッドを横切る状態で切欠部に進入させて、毛束をロッドの奥壁に当てがうことができる大きさおよび形状に形成され、前記芯体は、操作者が、前記ロッドに挿入した際、前記切欠部に進入させた毛束を、前記ロッドの前記奥壁との間で挟み込むことのできる太さに形成され、前記ロッドは、正面視、ロッドの奥壁の上縁が、該奥壁上部から奥壁下部に向けて斜め下方に伸びる傾斜縁に形成され、操作者が、前記芯体を前記ロッドに挿入して芯体と前記奥壁との間で毛束を挟み込んだ状態で、ロッドを手前側に巻き込んだ際、毛束を、前記傾斜縁で押圧して毛先側を前記傾斜縁下部に入り込むようにガイドして、毛先を逃がすことができるようになっていることを特徴とする。
【０００８】
切欠部内の前記奥壁の前記上縁を、正面視、中央の上部部分から左右方向の下部に向けて斜め下方に伸びる左右対称の傾斜縁に形成することができる。
また、隣接する切欠部の前記奥壁の前記傾斜縁を、互いに逆方向の斜め下方に伸びるように対称に設けるようにしてもよい。
前記奥壁の下縁を、正面視、前記奥壁の上縁と平行に、前記奥壁下部から奥壁上部に向けて斜め上方に傾斜して伸びる傾斜縁に形成するようにしてもよい。
前記奥壁の上縁を、正面視、該奥壁上部から奥壁下部に向けて斜め下方に傾斜する傾斜縁に形成し、前記奥壁の下縁を、正面視、該奥壁下部から奥壁上部に向けて斜め上方に、前記上縁とは逆方向に傾斜する傾斜縁に形成してもよい。
前記切欠部および奥壁の組を、前記ロッドに複数組設けるようにすることができる。
前記ロッドの両端部もしくは前記芯体の両端部に輪ゴムを掛けることのできる凹部を設けることができる。
【発明の効果】
【０００９】
本発明によれば、正面視、切欠部の奥壁の上縁を、該奥壁上部から奥壁下部に向けて斜め下方に伸びる傾斜縁に形成したので、操作者が、芯体をロッドに挿入して芯体と奥壁との間で毛束を挟み込んだ状態で、ロッドを手前側に巻き込んだ際、毛束を、前記傾斜縁で押圧して毛先側を傾斜縁下部側に入り込むようにガイドして、毛先を逃がすことができる。
【図面の簡単な説明】
【００１０】
【図１】ヘアセット用器具の説明図である。
【図２】ロッドの平面図である。
【図３】ロッドの背面図である。
【図４】ロッドの他の実施の形態を示す正面図である。
【図５】ロッドのさらに他の実施の形態を示す正面図である。
【図６】ロッドのまたさらに他の実施の形態を示す正面図である。
【図７】ロッドのさらにまた他の実施の形態を示す斜視図である。
【図８】髪の毛にロッドを当てがった状態を示す説明図である。
【図９】ロッドに芯体を挿入した状態を示す説明斜視図である。
【図１０】ロッドに芯体を挿入した状態を示す説明正面図である。
【図１１】ロッドを手前側に巻き込んだ状態を示す説明正面図である。
【図１２】ロッドを手前側に巻き込んだ状態を示す説明斜視図である。
【図１３】ロッドを適宜数手前側に回転して髪の毛を巻き込んだ状態を示す説明斜視図である。
【図１４】図１２の状態で、ロッドの両端に輪ゴムを掛け渡した状態を示す説明斜視図である。
【図１５】１つのヘアセット用器具によるヘアセットを完了した状態を示す説明斜視図である。
【図１６】ロッドのさらに他の実施の形態を示す正面図である。
【図１７】ロッドのさらにまた他の実施の形態を示す正面図である。
【図１８】ロッドのまたさらに他の実施の形態を示す正面図である。
【図１９】ロッドのさらに他の実施の形態を示す正面図である。
【発明を実施するための形態】
【００１１】
以下、本発明の実施の形態を添付図面に基づいて詳細に説明する。
図１はヘアセット用器具１０の説明図であり、同図（ａ）はロッド１２の正面図、同図（ｂ）は芯体１４の正面図、同図（ｃ）は輪ゴム１６の説明図である。図２はロッド１２の平面図、図３は背面図である。
ロッド１２は、筒体に後記する所要の切れ込みを形成した形態をなすものであり、ロッド１２内に挿入した芯体１４と共に、髪を巻き付けることができるようになっている。ロッド１２の大きさは特に限定されないが、直径１０〜１５ｍｍ程度、長さ８０ｍｍ程度のものが標準的なものである。図１に示すロッド１２は、中央部分が両端部よりも若干細い細長の鼓状をなすが、均一径の筒状であってもよい。芯体１４は、ロッド１２に挿入可能な棒状に形成されているが、ロッド１２の内壁面との間で所要量の髪（毛束）を挟み込めるように、ロッド１２に比較的緩く挿入可能な太さに形成されている。なお、芯体１４の両端側は、ロッド１２に進入しやすくするために、先細状に形成してある。
【００１２】
ロッド１２は、図１（ａ）の正面図、図２の平面図に示されるように、正面側から奥側に切れ込み、正面側が奥側よりも広く開口し、奥側がロッド１２の中心軸線を越える位置まで深く切れ込む切欠部１８を有する。切欠部１８は、操作者が、所要量の毛束の中途部を、正面側から、ロッド１２を横切る状態で切欠部１８に進入させて、毛束を対応するロッドの奥壁２０に当てがうことができる大きさおよび形状に形成されている。本実施の形態では、切欠部１８は、平面視、ほぼＵ字状、もしくはＶ字状をなすように形成されている。
【００１３】
ロッド１２は、さらに、正面視、奥壁２０に、該奥壁２０上部から奥壁２０下部に向けて斜め下方に所要幅で切れ込むガイドスリット２２を有する。該ガイドスリット２２は、所要幅を有し、操作者が、芯体１４をロッド１２に挿入して芯体１４と奥壁２０との間で毛束を挟み込んだ状態で、ロッド１２を手前側に巻き込んだ際、毛束を、ガイドスリット２２の傾斜縁２２ａで押圧して毛先側をガイドスリット２２に入り込むようにガイドして、毛先を逃がすことができるようになっている。なお、ガイドスリット２２は、スリット状でなく、単なる切欠であってもよい。すなわち、毛先を逃がすためには、奥壁２０の上縁が、奥壁２０の上部から奥壁２０の下部に向けて斜め下方に伸びる傾斜縁２２ａに形成されていればよい。
【００１４】
また、ロッド１２の奥壁２０の基部部分（ガイドスリット２２とは反対側の基部部分）は、図３に明確なように、切欠２４が形成され、切欠部１８の空間が広げられ、ロッド１２を手前側に巻き込む際、毛束が入りやすいようになされている。切欠２４が形成されることにより、奥壁２０には、図３に示されるように、一定幅部分が形成される。
またロッド１２の両端部には、輪ゴム１６がロッド１２に橋渡し状態に架け渡すことができるように、複数の凹部２６が形成されている。
ロッド１２は、樹脂製の筒体を適宜削り込んで上記形状に形成することができる。あるいはロッド１２は、金属板に切欠部１８およびガイドスリット２２の形状をプレス加工によって形成し、この金属板をプレス金型によって筒状に丸めることによって形成することができる。金属板には耐薬品性を有する金属材料を用いる。
【００１５】
図１〜図３に示すロッド１２は、切欠部１８およびガイドスリット２２の組が、ガイドスリット２２が、互いに逆方向の斜め下方に伸びるように対称に２組設けられている。すなわち、隣接する切欠部１８の奥壁２０の傾斜縁２２ａが、互いに逆方向の斜め下方に伸びるように対称に設けられている。この２組の切欠部１８およびガイドスリット２２の組の間には凸周部２８が形成される。このように２組のガイドスリット２２をそれぞれ対称に斜め下方に伸びるように設けることで、後記するように、２つに振り分けられた毛束の毛先を斜め外方に突出させることができ、ロッド１２をさらに回転して毛束を巻き込んでも、新たに巻き込まれてくる毛束が上記ガイドスリット２２内に振り分けられた毛先を覆うことがなく、毛先を確実に逃がすことができて好適である。
【００１６】
なお、上記切欠部１８およびガイドスリット２２の組の並べ方は上記に限定されるものではなく、図４に示されるように、切欠部１８およびガイドスリット２２の組を、同じ向きに複数個（図では７個）形成するようにしてもよいし、図５に示されるように、向きが異なるように、適宜入り乱れて形成するようにしてもよい。
なお、３０は、筒状部１２の表面に設けた滑り止めようの溝であるが、これは必ずしも設けなくともよい。
また、切欠部１８間の凸周部２８は、必ずしも周方向に連続するリング状をなしていなくともよく、図６に示すように、毛先を振り分ける傾斜縁２２ａを有する単なる凸部２８ａであってもよい。
【００１７】
また、図６に示すロッド１２は、切欠部１８が正面側の一部に形成されていて両端側にリング状部が残されているが、図７に示すように、切欠部１８をロッドの両端側にまで至るように大きく形成し、ロッド１２の正面側がその両端に至るまで全長に亘って開口するように設けてもよい。この場合、芯体１４はロッド１２内にその一端側から挿入するのでなく、その正面の開口部側からロッド１２内に直接押し込むようにして嵌め込んでもよい。そしてこの場合、切欠部１８の両端側の開口幅は芯体１４の太さよりも狭くなるようにし、芯体１４をロッド１２の切欠部１８に当てがいロッド１２内に押し込む際に、ロッド１２の両端側の開口縁をその弾性力に抗して押し広げて、芯体１４をロッド１２内に嵌め込むようにするとよい。これにより、芯体１４がロッド１２内に保持され、作業中にロッド１２から外れてしまうことがない。切欠部１８の両端側の、正面側の開口端面が外側に広がるテーパー面１８ａに形成すると、芯体１４により該開口縁部を外側に押し広げやすくなり、好適である。
【００１８】
次に、図８〜図１５により、図１〜３に示すヘアセット器具１０を用いて、髪の毛を巻き込む手順を説明する。
先ず、図８に示すように、適当量の髪の毛３２を持ち上げ、この毛束の裏側に、切欠部１８が正面を向くように、筒状部１２を当てがう。毛束は筒状部１２を横切る状態となる。
すると、切欠部１８間には凸周部２８が存在することから、毛束は、両切欠部１８の傾斜縁に沿って両切欠部１８内に適当量ずつ振り分けられる。３４は櫛である。３６は頭部である。
【００１９】
次に、図９および図１０に示すように、適宜櫛３４を使って、毛束を各切欠部１８の奥方向のガイドスリット２２の入口に向かって押し込つつ、芯体１４が毛束の上にくるように、芯体１４をロッド１２内に挿入する。これにより、毛束は、芯体１４と切欠部１８の奥壁２０との間で挟み込まれる。
【００２０】
次に、図１０に示すように、ロッド１２を手前側（矢印Ｘ方向）に回転する（巻き込む）。すると、図１１の正面図に示すように、ガイドスリット２２の傾斜している傾斜縁２２ａが手前側に回転してくるから、各切欠部２２内に振り分けられている毛束は、当該傾斜縁２２ａに押圧されて、ガイドスリット２２内に押しやられ、毛先３２ａが図１１および図１２に示すように、ガイドスリット２２の端部から斜め外方に突出する。ロッド１２をさらに手前方向に回転して毛束を巻き込んでも、毛先３２ａが斜め外方に突出していることから、毛先３２ａは新たに巻き込まれてくる毛束に覆われることがなく、したがって、毛先３２ａを確実に逃がすことができる。
【００２１】
図１３は、ロッド１２を適宜数巻き込んだ状態を示す。ロッド１２を必要数巻き込んだら、図１４に示すように、輪ゴム１６をロッド１２の両端部に掛け渡し、巻き込み状態を固定することで、ヘアセット用器具１０によるヘアセットを完了する（図１５）。上記図８〜図１５では、１つのヘアセット用器具１０による髪の毛の巻き込みのみを説明したが、実際には複数個のヘアセット用器具１０を用いて、ヘアセットを行うことはもちろんである。上記のようにヘアセット用器具１０によるヘアセットを行った後、公知の薬液処理を施すことによってパーマをかけることができる。
なお、パーマでなく、ドライアー掛けをする場合には、髪の毛を上記のようにセットした状態でドライアー掛けをすることはもちろんである。
なお、前記のように、毛先を逃がすためには、所要幅を有するガイドスリット２２である必要はなく、傾斜縁２２ａが形成される単なる切欠であってもよい。要は、奥壁２０の上縁を上記傾斜縁２２ａに形成してあればよい。すなわち、ロッド１２を手前に巻き込んだ際に、毛束が傾斜縁２２ａにガイドされて傾斜縁２２ａ下部に案内されるからである。
【００２２】
図１６はロッド１２のさらに他の実施の形態を示す正面図である。
上記実施の形態と同一の部位は同一の符号で示す。
本実施の形態では、切欠部１８を正面側に１つ大きく形成し、奥壁２０にガイドスリット２２ｂを、正面視、斜め（右斜め）下方に向けて傾斜するように設け、さらに、奥壁２０にもう１つのガイドスリット２２ｃを、ガイドスリット２２ｂとほぼ平行に、斜め（左斜め）上方に傾斜するように設けている。換言すれば、奥壁２０の下縁を、正面視、奥壁２０の上縁と平行に、奥壁下部から奥壁上部に向けて斜め上方に傾斜して伸びる傾斜縁２２ａに形成している。
本実施の形態でも、上記実施の形態と同様の手順で、図１６の状態で使用するとき、毛先を右側のガイドスリット２２ｂ内に逃がすように毛束を巻くことができる。
また、本実施の形態では、図１６において正面側を正面に向けたまま、ロッド１２を左右逆の状態となるように回転させた場合において、ガイドスリット２２ｃが右斜め下方に向けて傾斜する状態となる。すなわち、本実施の形態では、ロッド１２の向き、すなわち左右（あるいは正面視における上下）を気にすることなく、左右いずれの向きで用いても右側となるガイドスリット内に毛先を逃がすことができ、取り扱いが便利になる。
【００２３】
図１７は、ロッド１２のさらにまたたの実施の形態を示す正面図であり、該ロッド１２は、図１６のものにおいて、２本のガイドスリット２２ｂ、２２ｃの傾斜方向を逆にしたものである。すなわち、切欠部１８を正面側に１つ大きく形成し、奥壁２０にガイドスリット２２ｂを、正面視、斜め（右斜め）上方に向けて傾斜するように設け、さらに、奥壁２０にもう１つのガイドスリット２２ｃを、ガイドスリット２２ｂとほぼ平行に、斜め（左斜め）下方に傾斜するように設けている。すなわち、奥壁２０の下縁が、正面視、奥壁２０の上縁と平行に、奥壁２０下部から奥壁２０上部に向けて斜め上方に傾斜して伸びる傾斜縁２２ａに形成している。
本実施の形態のものでは、ロッド１２を左右いずれの向きで用いても、毛先を左側のガイドスリット内に逃がした状態で毛束を巻くことができる。
なお、本実施の形態では、輪ゴム１６を掛ける凹部２６を芯体１４の側に設けている。
【００２４】
図１８は、ロッド１２のまたさらに他の実施の形態を示す正面図である。
本実施の形態では、切欠部１８を正面側に１つ大きく形成し、奥壁２０にガイドスリット２２ｂを、正面視、斜め（左斜め）下方に向けて傾斜するように設け、さらに、奥壁２０にもう１つのガイドスリット２２ｃを、ガイドスリット２２ｂと対向して、奥壁下部から奥壁上部に向けて斜め上方に、ガイドスリット２２ｂとは逆方向に傾斜するように設けている。すなわち、奥壁２０の上縁が、正面視、奥壁２０上部から奥壁２０下部に向けて斜め下方に傾斜する傾斜縁２２ａに形成され、奥壁２０の下縁が、正面視、奥壁２０下部から奥壁２０上部に向けて斜め上方に、上縁とは逆方向に傾斜する傾斜縁２２ａに形成されている。
本実施の形態のロッド１２の場合、図１８の状態で用いた場合、毛先をガイドスリット２２ｂ内に逃がした状態（すなわち、毛先を左側の方向に逃がした状態）で毛束を巻くことができる。
一方、図１８において左右逆の状態でロッド１２を用いた場合、毛先をガイドスリット２２ｃ内に逃がした状態（すなわち、毛先を右側の方向に逃がした状態）で毛束を巻くことができる。
すなわち、本実施の形態のロッド１２の場合、１本のロッド１２で、左右向きを変えることで、毛先を左右いずれの方向へも逃がした状態で毛束を巻くことができ便利である。
なお、図１６、図１７、図１８のものにおいて、１つの切欠部１８と２つのガイドスリット２２ｂ、２２ｃの組を、ロッド１２の長さ方向に複数組設けるようにしてもよいことはもちろんである。
【００２５】
図１９はロッド１２のさらに他の実施の形態を示す。本実施の形態のロッド１２では、ガイドスリットでなく単なる切欠を形成して、１つの切欠部１８内の奥壁２０の上縁を、正面視、中央の上部部分から左右方向の下部に向けて斜め下方に伸びる左右対称の傾斜縁２２ａに形成している。
【符号の説明】
【００２６】
１０  ヘアセット用器具
１２  ロッド
１４  芯体
１６  輪ゴム
１８  切欠部
２０  奥壁
２２  ガイドスリット
２２ａ  傾斜縁
２４  切欠
２６  凹部
２８  凸周部
２８ａ  凸部
３０  凹溝
３２  髪の毛
３２ａ  毛先
３４  櫛
３６  頭部
【図１】
2013031643.tif 000003
【図２】
2013031643.tif 000004
【図３】
2013031643.tif 000005
【図４】
2013031643.tif 000006
【図５】
2013031643.tif 000007
【図６】
2013031643.tif 000008
【図７】
2013031643.tif 000009
【図８】
2013031643.tif 000010
【図９】
2013031643.tif 000011
【図１０】
2013031643.tif 000012
【図１１】
2013031643.tif 000013
【図１２】
2013031643.tif 000014
【図１３】
2013031643.tif 000015
【図１４】
2013031643.tif 000016
【図１５】
2013031643.tif 000017
【図１６】
2013031643.tif 000018
【図１７】
2013031643.tif 000019
【図１８】
2013031643.tif 000020
【図１９】
2013031643.tif 000021